(57)【要約】【課題】飲料用缶の開封のための引裂開封装置。【解決手段】タブ（１）の下側に、蓋（６）の下側に開口部（３）の縁を部分的に囲むセグメント（４１）で固定され形成された薄板（４）と、一方で非拘束のままの残りのセグメント（４２）とを有し、薄板（４）が、缶が密閉された状態のタブ（１）の下側に近づいている初期の安定した配置から、開口部（３）を通して薄板（４）を引き抜く間に発生する引き続きの過渡的な配置を経て、引き抜きが完了した状態の最終的な安定した配置に変化することが可能である形状を有し、引き抜きが完了したら、薄板（４）が対応した開口部（９）を備えた安定した流出口を形成し、開口部（９）の非拘束の縁が、薄板（４）の非拘束のセグメント（４２）に形成される引き裂きのための把持装置（２）を備えたタブ（１）を有する飲料用缶の引裂開封装置。【選択図】図１
2004538215.tif 000002
【特許請求の範囲】
【請求項１】
引き裂きのための把持装置（２）を備えたタブ（１）を有し、対応する開口部（３）によって、缶の内部を外部に連通することが可能である飲料用缶の引裂開封装置であって、
所定形状の薄板（４）が、前記タブ（１）の下側に配置され、前記開口部（３）の縁を部分的に囲むセグメント（４１）で蓋（６）の下側に固定され、
一方で、少なくとも残りのセグメント（４２）が、非拘束のままであり、
前記薄板（４）が、缶が密閉された状態で、前記タブ（１）の下側に近づいている初期の安定した配置から、前記開口部（３）を通して前記薄板（４）を引き抜きする間に発生する引き続いての過渡的な配置を経て、最終的な安定した配置に変化することが可能である形状を有し、引き抜きが完了した状態で、前記薄板（４）が、対応した開口部（９）を備えた安定した流出口を形成し、前記開口部（９）の非拘束の縁が、前記薄板（４）の前記非拘束のセグメント（４２）で形成されることを特徴とする引裂開封用装置。
【請求項２】
前記薄板（４）が、
前記タブ（１）の引き裂き動作により提供される開口部（３）に対応する中央部品（５）であって、
前記タブ（１）自体を把持するための前記把持装置（２）に対応するものに対して反対の部分に少なくとも沿って、前記蓋（６）の内側表面に固定されている１つの中央部品（５）と、
前記中央部品（５）に対して左右対称な２つの側方部品（７ａ、７ｂ）であって、
いずれもが前記中央部品（５）の結合から始まる所定の周囲一定部分で缶の前記蓋（６）の内側表面に固定されている２つの側方部品（７ａ、７ｂ）と、
の原則として３つの部品によって構成され、
前記初期の安定した配置では、周囲の非拘束の部分が、缶の内側に突出し、前記薄板（４）の前記中央部品（５）を前記タブ（１）自体の下側に残らせるように、前記薄板（４）が、それ自身で折り畳まれた前記側方部品（７ａ、７ｂ）を備えており、前記最終的な安定した配置では、引き抜きが完了した時に、前記薄板（４）が、前記蓋（６）の内側表面に対して接触する前記側方部品（７ａ、７ｂ）の一部分を少なくとも有し、
一方で、流出口（８）が、前記中央部品（５）により構成される底部と、前記側方部品（７ａ、７ｂ）の引き抜かれた部分により構成される側面の壁とを有し、底部及び側面の壁における非拘束の縁が、飲料物の流出のための開口部（９）の輪郭を規定していることを特徴とする請求項１記載の引裂開封用装置。
【請求項３】
前記開口部（９）の非拘束の縁が、その縁を囲む前記流出口（８）の外部に向うフラップ（１０）を提供していることを特徴とする請求項１又は２記載の引裂開封装置。
【請求項４】
前記中央部品（５）及び前記側方部品（７ａ、７ｂ）における前記蓋（６）の内側表面に対する結合（１１）が、１つの連続的な構成物により構成されることを特徴とする請求項２又は３記載の引裂開封装置。
【請求項５】
前記薄板（４）の引き抜きの間、前記側方部品（７ａ、７ｂ）の周囲の非拘束の部分が、缶の内側に向かって突出し、
前記側方部品の表面が、前記蓋（６）の内側表面に規制されるまで缶の内側に向かって近づくことを特徴とする請求項２から４の何れかに記載の引裂開封装置。
【請求項６】
前記薄板（４）の引き抜きの段階の終わりで、前記蓋（６）の内側表面により規制される前記側方部品（７ａ、７ｂ）のそれぞれ部分に形成され、飲料物の整然とした外部への流出の間に邪魔にならない位置に形成された適切なサイズの１つ又は１つ以上の穴（１２）を有することを特徴とする請求項２から５の何れかに記載の引裂開封装置。
【請求項７】
前記薄板（４）の前記側面の壁（７ａ、７ｂ）が、前記蓋（６）に幾何学的な干渉を提供する幾何学的干渉手段（１３）を有し、側面の壁が一度引き抜かれた缶に再び入るのを防ぎ、前記流出口（８）を安定化させるようになっていることを特徴とする請求項２から６の何れかに記載の引裂開封装置。
【請求項８】
前記幾何学的干渉手段（１３）が、前記流出口（８）の非拘束の側方の縁（１４ａ、１４ｂ）に沿って得られ、少なくとも２つの対応する干渉要素（１５ａ、１５ｂ）により構成され、流出口（８）の引き抜きの間における非干渉の第１の位置から、缶の前記蓋（６）への幾何学的な干渉を行う第２の極限の位置へ弾性的に移動可能であることを特徴とする請求項７記載の引裂開封装置。
【請求項９】
前記開口部（９）の非拘束の縁（輪郭）が、その縁を囲む前記流出口（８）の外部に向うフリップ（１０）を提供し、
前記幾何学的干渉手段（１３）が、前記フリップ（１０）自体に対応して得られることを特徴とする請求項８記載の引裂開封装置。
【請求項１０】
前記引裂用タブ（１）が、前記薄板（４）に固定されており、引き裂き動作中に、前記薄板（４）の自動的な引き抜きを許容し、前記結合が、前記薄板（４）の十分な引き抜きを許容するほど十分に強いと同時に、薄板（４）の引き抜き及び前記流出口（８）の安定した形成の後には降伏変形する程に弱く結合していることを特徴とする請求項１から９の何れかに記載の引裂開封装置。
【請求項１１】
前記側面の壁（７ａ、７ｂ）が、折り曲げられており、引き抜かれていない位置では、前記薄板（４）の前記中央部品（５）が、前記蓋（６）の平面に対してわずかに下側に位置して平行であり、それ故、前記引裂用タブに対して広い接触領域を提供するようになっていることを特徴とする請求項１０記載の引裂開封装置。
【請求項１２】
引き抜かれていない位置で、前記薄板（４）の前記中央部品（５）が、開口部（３）の全体を閉じていることを特徴とする請求項１１記載の引裂開封装置。
【請求項１３】
前記側面の壁（７ａ、７ｂ）が、折り曲げられており、引き抜かれていない位置では前記薄板（４）の前記中央部品（５）が、前記蓋（６）の平面に対してわずかに下側に位置して平行の状態を維持し、手動の引き抜きのための把持を提供するために、前記開口部（３）の一部分のみを閉ざすようになっていることを特徴とする請求項２から９の何れかに記載の引裂開封装置。
【請求項１４】
前記薄板（４）が、前記蓋（６）との幾何学的干渉を提供する手段（１３）を提示し、一度引き抜かれた場合にはそれが缶に再び入るのを防止し、前記流出口（８）を安定させるようになっていることを特徴とする請求項１から６の何れかに記載の引裂開封装置。
【請求項１５】
前記連続的な構成物が、飲料物に対して密閉されていることを特徴とする請求項４記載の引裂開封装置。
【発明の詳細な説明】
【０００１】
【発明の属する技術分野】
本発明は、引き裂きのための把持装置を備えたタブを有し、対応する開口部によって、缶の内部を外部に連通することが可能である、飲料用缶の開封のための引裂装置に関する。
【０００２】
【従来の技術】
飲料用缶の開封のための装置は、一般的に、把持装置を有し、その把持装置は、通常リングの形状であり、様々な形状及び大きさの引裂用タブに溶接又は連結されている。把持装置の牽引力は、タブを引き剥がし、缶の蓋に開口部を得るようにする。その開口部は、その缶に含まれる飲料物を流出させる。
【０００３】
本発明に対してより関係のある様な装置の有用な実現のための先行技術において、リング状の把持装置は、それと共にタブを引張り、それが十分に離れるまで蓋からそれを引き剥がす。タブの形状に依存して、それによって提供される開口部は、様々な形状を有することが可能であり、缶の蓋の全ての領域、又は、部分的な領域を含むことが可能である。円筒形の形状の缶、又は、容器における、最も一般的な実現は、可変の長さを有する細片の形の上のいずれも円形の開口部の形成に導く。引き裂き動作が、もし十分に制御出来なかったら、全く不意に、特にタブが蓋に対して大きい場合、タブの縁は一般的に鋭く、それ故、潜在的に切り傷を負うかもしれない危険がある。それによって提供された開口部の縁もまた鋭いので、容器を開ける人、或いは、その中身をこぼすことなく飲むために開口部に彼／彼女の唇を接近させる人に切り傷を負わせることが潜在的に出来る。飲料物が開口部から流出する時、飲料物は、一般的に蓋の外側の部分に接触する。更に、直接的に缶の中身を飲むために、人は、その人の唇を蓋の外側の部分と、容器の円筒形の壁との両方に、接近させることを強制される。それ故、飲料物は、汚されるかもしれなく、又、人の唇に不衛生な接触が生じるかもしれない。
【０００４】
次の別の実現は、リング状の把持装置が、（この場合、通常円形の形状及び限定された大きさを有する）タブを容器の内部に強く押すことを提供する。この方法において、タブを取り外すことなく、開口部が得られ、それによって怪我の危険を回避する。このことは、開口部の安全性の問題を解決するが、不衛生に関する問題は解決していない。開口部からの流出において、飲料物がなおも一般的に蓋の外側の部分に接触し、人は直接的に缶の中身を飲むために、なおもその人の唇を蓋の外側の部分と容器の円筒形の壁との両方に、接近させることを強制され、さらに、タブはその必然的な潜在的な不純物を伴って、飲料物に沈められるので、この不衛生に関する問題は、実際上悪化する。
【０００５】
【発明が解決しようとする課題】
それ故、本発明の目的は、前述の短所を排除することである。
【０００６】
【課題を解決するための手段】
請求項によって特徴付けられる本発明は、飲料用缶の引裂開封装置における問題を解決し、引き裂きのための把持装置を備えたタブを有し、対応する開口部によって、缶の内部を外部に連通することが可能であり、缶自体の開封の前に、飲料物或いは飲む人の唇が接触する缶の部分が、外部の環境に触れることなく、飲料物の流出のための開口部を備えた安定した流出口を自動的に形成するようになっている。
【０００７】
本発明により得られる利点は、流出口の存在及び流出口が形成されるところの特有の方法により、缶からの整然で均一な飲料物の流出、及び、内部に含まれる飲料物を別の容器に注ぐために使用する時の衛生状態、及び、缶から直接的に飲む際の衛生的な接触が保証されるという、必然的な事実から成る。更に、流出の間の流出口の外側への飲料物のこぼれ及び流出が防止される。本発明により得られる更なる利点は、流出口の特徴と、それが形成されるところの段階の間に引き続いて起こる過渡的な配置の連続により、タブを切り取る時或いは開口部に唇が接触する時の、切り傷或いは小さな傷を最小化することが可能である事実から必然的に成る。
【０００８】
【発明の実施の形態】
限定しない実施例によって単に提供される実施形態を表現した図の支援により、本発明を以下にさらに詳細に説明する。ここにおいて、
【０００９】
図１は、缶の蓋の領域の側面図であり、タブの引き裂き動作を図示しており、初期の配置、引き抜きの間の中間の過渡的な配置、そして、引き抜き後の流出口の最終的な形状の配置を図示している。
図２は、上記図１の缶の蓋の領域の正面図である。
図３は、開口部の上に流出口を形成する薄板の展開図である。
図４は、缶から取り除かれた流出口として形成された薄板の透視図である。
図５は、引き裂き用タブ、対応する把持装置、及びタブの下にある開口部を強調した缶の蓋の平面図である。
図６は、本発明の他の実施形態を図示した缶の蓋の領域の側面図である。
図７は、流出口を使用する方法を示す図である。
図８は、図６で使用される薄板の展開図である。
【００１０】
図にて示されるように、本発明は、原則として、引き裂きのための把持装置（２）を備えたタブ（１）を有し、対応する開口部（３）によって、缶の内部を外部に連通することが可能である、飲料用缶のための引裂開封装置によって構成される。所定形状の薄板（４）が、タブ（１）の下側に位置されており、この薄板（４）は、開口部（３）の縁を部分的に囲むセグメント（４１）で、蓋（６）の下側に固定されており、一方で、少なくとも残りのセグメント（４２）は非拘束である。図１及び図２に示されるように、薄板（４）は、可変の形状である。それは、缶が密閉された状態で、タブ（１）の下側に近づいている初期の安定した配置から始まり、開口部（３）を通して薄板（４）を引き抜きする間に発生する引き続いての過渡的な配置を経て、そして、引き抜きが完了した状態で、最終的な安定した配置になる。当該安定した最終的な配置において、薄板（４）は、対応した開口部（９）と共に、安定した流出口（８）を形成する。この開口部（９）の非拘束の縁は、薄板（４）の非拘束のセグメント（４２）で形成される。それ故、開封の時まで、薄板（４）は、外部と接することはない。従って、一度形成されると、流出口（８）は、飲料物の衛生的な流出を保証し、図７に示されるような間、飲料物自体が缶のいかなる外部の部分とも接触することはない。更に、当該流出口（８）は、直接的にそれを使って中身を飲む人の唇に対して、薄板（４）の非拘束のセグメント（４２）の引き出された部分によって構成される衛生的な接触領域を提供する。その開口部（９）を介して、流出口（８）はさらに缶の中への空気の進入を保証し、それ故、飲料物の整然として均一な流出を保証する。本発明の好ましい実施形態において、図３及び図４に示されるように、薄板（４）は、原則的には、タブ（１）の引き裂きによって提供される開口部（３）に対応する中央部品（５）と、中央部品（５）に対して左右対称な２つの側方部品（７ａ、７ｂ）との３つの部品から構成される。これらの部品（５、７ａ、７ｂ）は、前述の図３及び図８に示されるように、薄板（４）のセグメント（４１）のそれらの対応する部分に沿って、蓋（６）の内側表面に固定されている。前記固定は、部分的な又は連続的な部分の接合、接着又は溶接による幾つかの方法によって得られる。本発明の好ましく、さらに効果的な実施形態において、結合は、密閉された連続的な構成要素によって得られ、薄板（４）のセグメント（１１）を蓋（６）の内側の表面に結合させることにより得られる。薄板（４）は、金属製、プラスティック製、或いは、ゴム製材料を使用することによって得ることが可能である。一定の機械的な固体性を保持する間、そのような材料は、破壊することなく形成し、変形し、折ることが容易でなければならない。さらに、それらは、有毒であってはならず、缶に含まれる飲料物を汚してはならない。その初期の安定した配置において、その中央部品（５）と、その側方部品（７ａ、７ｂ）との間の境界の線（１６ａ、１６ｂ）に従って、薄板（４）は折られる。それによって、当該側方部品（７ａ、７ｂ）は、内側に突き出る。順に、それらは、薄板（４）のセグメントの部分（４１）に沿って前記蓋（６）に再接合し、蓋（６）自体との結合を得るために、それらは、さらに蓋（６）の内側の部分に向かって線（１７ａ、１７ｂ）に沿って折られている。それ故、側方部品（７ａ、７ｂ）に付随する薄板（４）の非拘束のセグメント（４２）の部分は、内部に突き出ており、薄板（４）の中央部品（５）をタブ（１）自体の下側に留まらせる。線（１６ａ、１６ｂ、１７ａ、１７ｂ）に沿った折り目、及び、薄板（４）の生じる形成は、引き抜かれていない位置で、薄板（４）の中央部品（５）を、蓋（６）の平面に対して、わずかに下側に位置して平行に留まらせる。それによって、引裂用タブ（１）に十分な接触領域が提供される。引き抜きの間の中間の配置において、中央部品（５）は持ち上げられ、それと共に引っ張られ、開口部（３）を通して、薄板（４）の残りの部分を持ち上げる。薄板（４）の最終的な安定した配置において、十分な引き抜きの完了に従って、接合部（１１）と折り目線（１７ａ、１７ｂ）との間にある側方部品（７ａ、７ｂ）の部分は、蓋（６）の内側表面に掛かるようになる。このことは、接合（１１）の存在と共に、薄板（４）が缶から取り除かれることを防止する。その引き抜きが最大となる時に、中央部品（５）は、流出口（８）の底を構成する。この流出口（８）の側方の壁は、薄板（４）の側方部品（７ａ、７ｂ）の引き抜かれた部分によって構成される。流出口（８）の底（１４ｃ）の非拘束の縁、及び、流出口（８）の側方の壁（１４ａ、１４ｂ）の非拘束の縁は、飲料物の流出のための開口部（９）の輪郭を規定する。本発明の好ましく、さらに効果的な実施形態において、引裂用タブ（１）は薄板（４）に固定されている。この結合（１８）は、様々な方法及び様々な技術によって得ることが出来る。それは、タブの引き裂きにおいて、自動的に薄板（４）を引き抜かせ、それ故、自動的に、流出口（８）を配置させる。この場合において、引き抜かれていない位置で薄板（４）の中央部品（５）は、より長く、それ故、さらに有用な流出口（８）を提供する開口部（３）の全体を閉じることが可能である。タブ（１）と薄板（４）との間の結合（１８）は、薄板（４）の完全な引き抜きを許容するほど十分に強いと同時に、薄板（４）の引き抜き及び流出口（８）の安定した形成の後には降伏変形する程十分に弱くなけらばならない。本発明の他の実施形態において、引き抜かれていない位置で、薄板（４）の中央部品（５）は、開口部（３）の全体を閉じていない。結合（１８）がない場合、この開口部の閉じてられていない部分は、縁の部分（１９）の把持を許容し、従って、薄板（４）の引き抜きを許容する。流出口（８）の形成の段階の間に次いで起こる過渡的な配置の連続における薄板（４）の形成、及び、開口部（３）の縁との相互作用は、引き抜きを突然にはせず、それによって、怪我の危険を減少させる。薄板（４）の形成及び折りによって、引き抜きの間、側方部品（７ａ、７ｂ）の周囲の非拘束の部分は、缶の内部に向かって突出する。さらに、蓋（６）の内側表面に規制されるまで、それらの表面は、缶の内部に向かって傾けられたままである。このことは、引き抜きの間、薄板（４）自体によっていかなる液体も止められることを許容し、その動きにより開封前の状態のように内側に流れるようになっている。本発明の他の実施形態において、薄板（４）の引き抜きの段階の最後で蓋（６）の内側表面に向かって掛かるようになる側方部品（７ａ、７ｂ）のそれぞれの部分において、飲料物の外部への整然とした流出の間には邪魔にならない位置に適切なサイズの１つ又は１つ以上の穴（１２）が形成してある。この方法においては、もし薄板（４）が過度に素早く引き抜かれた場合でも、薄板（４）によって捕捉されるであろう内部の如何なる液体もさらに効果的に内部に向けて排出することが可能であり、外部への飛び散りを防止できる。本発明の好ましく、又、さらに効果的な実施形態において、薄板（４）の側方部品（７ａ、７ｂ）は、一度引き抜かれたそれが缶の中に戻るのを防止し、流出口の安定性（８）を作るような、幾何学的に蓋（６）に干渉するための手段（１３）を提供する。このことは、引き抜きの次の規制の効果によって、蓋（６）の内側表面と、内側に残っている薄板（４）の部分との間に得られた密接な接触をさらに安定させる。蓋（６）の内側表面に対する結合（１１）の連続体及び密閉したシールと共に、この接触は、流出の間、流出口（８）の外側への飲料物のこぼれ又は放出が発生しないことを保証する。本発明の好ましい実施形態において、幾何学的な干渉手段（１３）は、流出口（８）の非拘束の側方縁（１４ａ、１４ｂ）に沿って得られ、少なくとも、２つの対応する干渉要素（１５ａ、１５ｂ）によって構成され、流出口（８）を引き抜く間の干渉のない初期位置から、缶の蓋（６）への幾何学的な干渉の第２の極限の位置への弾性的に移動可能である。これらの干渉の要素は、様々な方法で得ることが出来る。例えば、もし薄板（４）が金属ならば、パンチングにより得ることが出来る。本発明の好ましく及びさらに効果的な実施形態において、開口部（９）の輪郭を成す非拘束の縁（１４ａ、１４ｂ、１４ｃ）は、それらの縁を囲む流出口（８）の外部に向うフラップ（１０）を有する。このことは、使用する人の唇に対して怪我の危険のない接触領域を与える。幾何学的な干渉手段（１３）は、フラップ（１０）から得られる。図２及び図４は、干渉手段（１５ａ、１５ｂ）を得るためにフラップ（１０）の口を外側にわずかに折ることによって、干渉手段（１３）を得るための特有の方法を示している。
【００１１】
それ故、説明された発明は、多くの変更及び変形を含み、それによって本発明の技術的範囲から逸脱することはない。さらに、全ての構成要素は、技術的に同等の要素に置き換えることが可能である。
【００１２】
実際上、変更、及び／又は、改良は明らかに可能であり、それによって以下の請求項の範囲から逸脱することはない。
【図面の簡単な説明】
【図１】図１は、缶の蓋の領域の側面図であり、タブの引き裂き動作を図示しており、初期の配置、引き抜きの間の中間の過渡的な配置、そして、引き抜き後の流出口の最終的な形状の配置を図示している。
【図２】図２は、上記図１の缶の蓋の領域の正面図である。
【図３】図３は、開口部の上に流出口を形成する薄板の展開図である。
【図４】図４は、缶から取り除かれた流出口として形成された薄板の透視図である。
【図５】図５は、引き裂き用タブ、対応する把持装置、及びタブの下にある開口部を強調した缶の蓋の平面図である。
【図６】図６は、本発明の他の実施形態を図示した缶の蓋の領域の側面図である。
【図７】図７は、流出口を使用する方法を示す図である。
【図８】図８は、図６で使用される薄板の展開図である。
【図１】
2004538215.tif 000003
【図２】
2004538215.tif 000004
【図３】
2004538215.tif 000005
【図４】
2004538215.tif 000006
【図５】
2004538215.tif 000007
【図６】
2004538215.tif 000008
【図７】
2004538215.tif 000009
【図８】
2004538215.tif 000010
【国際公開パンフレット】
2004538215.tif 000011
2004538215.tif 000012
2004538215.tif 000013
2004538215.tif 000014
2004538215.tif 000015
2004538215.tif 000016
2004538215.tif 000017
2004538215.tif 000018
2004538215.tif 000019
2004538215.tif 000020
2004538215.tif 000021
2004538215.tif 000022
2004538215.tif 000023
2004538215.tif 000024
2004538215.tif 000025
【手続補正書】
【提出日】平成13年2月15日(2001.2.15)
【手続補正１】
【補正対象書類名】明細書
【補正対象項目名】特許請求の範囲
【補正方法】変更
【補正の内容】
【特許請求の範囲】
【請求項１】
対応する開口部（３）によって、缶の内部を外部に連通することが可能であり、引き裂きのための把持装置（２）を備えたタブ（１）と、
前記タブ（１）の下側に配置され、蓋（６）の下側の前記開口部（３）の縁を部分的に囲むセグメント（４１）で固定を行うように形成され、一方で、少なくとも非拘束のままである残りのセグメント（４２）を持つ薄板（４）とを有し、
前記薄板（４）が、缶が密閉された状態で、前記タブ（１）の下側に近づいている初期の安定した配置から、前記開口部（３）を通して前記薄板（４）を引き抜きする間に発生する引き続いての過渡的な配置を経て、最終的な安定した配置に変化することが可能である形状を有し、引き抜きが完了した状態で、前記薄板（４）が、対応した開口部（９）を備えた安定した流出口を形成し、前記開口部（９）の非拘束の縁が、前記薄板（４）の前記非拘束のセグメント（４２）で形成される飲料用缶の引裂開封装置であって、
前記薄板（４）が、
前記タブ（１）の引き裂き動作により提供される開口部（３）に対応する中央部品（５）であって、
前記タブ（１）自体を把持するための前記把持装置（２）に対応するものに対して反対の部分に少なくとも沿って、前記蓋（６）の内側表面に固定されている１つの中央部品（５）と、
前記中央部品（５）に対して左右対称な２つの側方部品（７ａ、７ｂ）であって、
いずれもが前記中央部品（５）の結合から始まる所定の周囲一定部分で缶の前記蓋（６）の内側表面に固定されている２つの側方部品（７ａ、７ｂ）と、
の原則として３つの部品によって構成され、
前記初期の安定した配置では、周囲の非拘束の部分が、缶の内側に突出し、前記薄板（４）の前記中央部品（５）を前記タブ（１）自体の下側に残らせるように、前記薄板（４）が、それ自身で折り畳まれた前記側方部品（７ａ、７ｂ）を備えており、前記最終的な安定した配置では、引き抜きが完了した時に、前記薄板（４）が、前記蓋（６）の内側表面に対して接触する前記側方部品（７ａ、７ｂ）の一部分を少なくとも有し、
一方で、流出口（８）が、前記中央部品（５）により構成される底部と、前記側方部品（７ａ、７ｂ）の引き抜かれた部分により構成される側面の壁とを有し、底部及び側面の壁における非拘束の縁が、飲料物の流出のための開口部（９）の輪郭を規定していることを特徴とする引裂開封用装置。
【請求項２】
前記開口部（９）の非拘束の縁が、その縁を囲む前記流出口（８）の外部に向うフラップ（１０）を提供していることを特徴とする請求項１記載の引裂開封装置。
【請求項３】
前記中央部品（５）及び前記側方部品（７ａ、７ｂ）における前記蓋（６）の内側表面に対する結合（１１）が、１つの連続的な構成物により構成されることを特徴とする請求項１又は２記載の引裂開封装置。
【請求項４】
前記薄板（４）の引き抜きの間、前記側方部品（７ａ、７ｂ）の周囲の非拘束の部分が、缶の内側に向かって突出し、
前記側方部品の表面が、前記蓋（６）の内側表面に規制されるまで缶の内側に向かって近づくことを特徴とする請求項１から３の何れかに記載の引裂開封装置。
【請求項５】
前記薄板（４）の引き抜きの段階の終わりで、前記蓋（６）の内側表面により規制される前記側方部品（７ａ、７ｂ）のそれぞれ部分に形成され、飲料物の整然とした外部への流出の間に邪魔にならない位置に形成された適切なサイズの１つ又は１つ以上の穴（１２）を有することを特徴とする請求項１から４の何れかに記載の引裂開封装置。
【請求項６】
前記薄板（４）の前記側面の壁（７ａ、７ｂ）が、前記蓋（６）に幾何学的な干渉を提供する幾何学的干渉手段（１３）を有し、側面の壁が一度引き抜かれた缶に再び入るのを防ぎ、前記流出口（８）を安定化させるようになっていることを特徴とする請求項１から５の何れかに記載の引裂開封装置。
【請求項７】
前記幾何学的干渉手段（１３）が、前記流出口（８）の非拘束の側方の縁（１４ａ、１４ｂ）に沿って得られ、少なくとも２つの対応する干渉要素（１５ａ、１５ｂ）により構成され、流出口（８）の引き抜きの間における非干渉の第１の位置から、缶の前記蓋（６）への幾何学的な干渉を行う第２の極限の位置へ弾性的に移動可能であることを特徴とする請求項６記載の引裂開封装置。
【請求項８】
前記開口部（９）の非拘束の縁（輪郭）が、その縁を囲む前記流出口（８）の外部に向うフリップ（１０）を提供し、
前記幾何学的干渉手段（１３）が、前記フリップ（１０）自体に対応して得られることを特徴とする請求項７記載の引裂開封装置。
【請求項９】
前記引裂用タブ（１）が、前記薄板（４）に固定されており、引き裂き動作中に、前記薄板（４）の自動的な引き抜きを許容し、前記結合が、前記薄板（４）の十分な引き抜きを許容するほど十分に強いと同時に、薄板（４）の引き抜き及び前記流出口（８）の安定した形成の後には降伏変形する程に弱く結合していることを特徴とする請求項１から８の何れかに記載の引裂開封装置。
【請求項１０】
前記側面の壁（７ａ、７ｂ）が、折り曲げられており、引き抜かれていない位置では、前記薄板（４）の前記中央部品（５）が、前記蓋（６）の平面に対してわずかに下側に位置して平行であり、それ故、前記引裂用タブに対して広い接触領域を提供するようになっていることを特徴とする請求項９記載の引裂開封装置。
【請求項１１】
引き抜かれていない位置で、前記薄板（４）の前記中央部品（５）が、開口部（３）の全体を閉じていることを特徴とする請求項１０記載の引裂開封装置。
【請求項１２】
前記側面の壁（７ａ、７ｂ）が、折り曲げられており、引き抜かれていない位置では前記薄板（４）の前記中央部品（５）が、前記蓋（６）の平面に対してわずかに下側に位置して平行の状態を維持し、手動の引き抜きのための把持を提供するために、前記開口部（３）の一部分のみを閉ざすようになっていることを特徴とする請求項１から８記載の何れかに引裂開封装置。
【請求項１３】
前記連続的な構成物が、飲料物に対して密閉されていることを特徴とする請求項３記載の引裂開封装置。
【手続補正２】
【補正対象書類名】明細書
【補正対象項目名】０００４
【補正方法】変更
【補正の内容】
【０００４】
次の別の実現は、リング状の把持装置が、（この場合、通常円形の形状及び限定された大きさを有する）タブを容器の内部に強く押すことを提供する。この方法において、タブを取り外すことなく、開口部が得られ、それによって怪我の危険を回避する。このことは、開口部の安全性の問題を解決するが、不衛生に関する問題は解決していない。開口部からの流出において、飲料物がなおも一般的に蓋の外側の部分に接触し、人は直接的に缶の中身を飲むために、なおもその人の唇を蓋の外側の部分と容器の円筒形の壁との両方に、接近させることを強制され、さらに、タブはその必然的な潜在的な不純物を伴って、飲料物に沈められるので、この不衛生に関する問題は、実際上悪化する。
米国特許第３，４７３，７０５号において、プルタブ型の引裂用細片を有し、容器の前記引裂用細片を取り除いた上に開口部を提供する容器が開示されている。当該容器が密閉されている時、実質的に平面的で柔軟な本体部分が、容器の近くの内部に、容器の蓋の下側に実質的に平行に位置づけられている。その配置において、当該本体部分は、一方の端が引裂用細片自体により支持されており、反対の端が蓋へ連結されたビードにより支持されている。細片の引き裂きは、前記本体部分を持ち上げ、実質的に平面的な状態から、引き裂き動作と、引裂用細片を取り除いた上に形成される開口部の側の噛み合いとの間の協調により流出口の様な形状に変形させる。この動作の間、ビードの反対側の端は、開口部に向かって移動し、２つのくぼみを開口部自体の端に噛み合わせるようにし、それ故、当該本体部分の更なる移動を制限するためのストッパを提供し、その結果、容器から流出口を引き抜くことなく、引裂用細片が本体部分から分離する。ただ、ビードの部分（即ち、中央部品）は、蓋に接合されたままであり、本体部分の一方の端を容器の中にいれたままである。くぼみの形状及びビードと蓋との間の小さな接合のため、缶から流出口を分離する危険は、完全には避けられない。流出口は、開口部の縁に対応して遮断される構造を有しており、従って、液体が飲むために注がれる時、流出口自体の側面部分の外側に沿って、缶に含まれる液体がこぼれる可能性がある。




【国際調査報告】
2004538215.tif 000026
2004538215.tif 000027